(57)【要約】【課題】像保持体上の非転写トナー像に起因する転写手段の周辺部材の汚れを抑制することができる画像形成装置を提供する。【解決手段】像保持体上にトナー像を形成する画像形成手段と、像保持体に形成されたトナー像を搬送される記録媒体に転写する転写手段と、転写手段の記録媒体の搬送方向下流側で記録媒体の搬送方向と交差する方向の記録媒体の搬送領域外に像保持体の外面に向かって突出する板状部材と、を備え、板状部材は像保持体の外面に向かって像保持体の移動方向に延びる対向面を有し、対向面と像保持体の外面との間に気流の流通する流路が形成されている。【選択図】図６
2017191195.tif 000002
【特許請求の範囲】
【請求項１】
像保持体上にトナー像を形成する画像形成手段と、
前記像保持体に形成された前記トナー像を搬送される記録媒体に転写する転写手段と、
前記転写手段の前記記録媒体の搬送方向下流側で前記記録媒体の搬送方向と交差する方向の前記記録媒体の搬送領域外に前記像保持体の外面に向かって突出する板状部材と、を備えた、
ことを特徴とする画像形成装置。
【請求項２】
前記板状部材は前記像保持体の外面に向かって前記像保持体の移動方向に延びる対向面を有し、前記対向面と前記像保持体の外面との間に気流の流通する流路が形成されている、
ことを特徴とする請求項１に記載の画像形成装置。
【請求項３】
前記対向面と前記像保持体の外面との間隙が１ｍｍないし３ｍｍである、
ことを特徴とする請求項２に記載の画像形成装置。
【請求項４】
前記像保持体の外面の移動速度が３５０ｍｍ／ｓｅｃ以上である、
ことを特徴とする請求項１ないし３のいずれか１項に記載の画像形成装置。
【発明の詳細な説明】
【技術分野】
【０００１】
本発明は、画像形成装置に関する。
【背景技術】
【０００２】
筐体と、回転軸と直交する断面視において、回転軸よりも上方の円筒面に当接する周面を備え、当接位置で像担持体と同方向に回転駆動され、像担持体上に付着したトナーを回収する回転部材と、筐体に配設され、断面視において、回転軸よりも上方であって、回転部材よりも像担持体の回転方向上流側の円筒面に当接する先端部を備えるシート部材と、像担持体の円筒面と間隔をおいて、回転部材とシート部材の上方の空間との間に立設される立壁と、立壁のうち円筒面に対向する端部であって、シート部材の先端部よりも像担持体の回転方向下流側の円筒面に向かって延伸される立壁先端部と、を備えるクリーニング装置が知られている（特許文献１）。
【先行技術文献】
【特許文献】
【０００３】
【特許文献１】特開２０１４−００２３４４号公報
【発明の概要】
【発明が解決しようとする課題】
【０００４】
本発明は、像保持体上の非転写トナー像に起因する転写手段の周辺部材の汚れを抑制することができる画像形成装置を提供することを目的とする。
【課題を解決するための手段】
【０００５】
前記課題を解決するために、請求項１記載の画像形成装置は、
像保持体上にトナー像を形成する画像形成手段と、
前記像保持体に形成された前記トナー像を搬送される記録媒体に転写する転写手段と、
前記転写手段の前記記録媒体の搬送方向下流側で前記記録媒体の搬送方向と交差する方向の前記記録媒体の搬送領域外に前記像保持体の外面に向かって突出する板状部材と、を備えた、
ことを特徴とする。
【０００６】
請求項２記載の発明は、請求項１記載の画像形成装置において、
前記板状部材は前記像保持体の外面に向かって前記像保持体の移動方向に延びる対向面を有し、前記対向面と前記像保持体の外面との間に気流の流通する流路が形成されている、
ことを特徴とする。
【０００７】
請求項３記載の発明は、請求項２記載の画像形成装置において、
前記対向面と前記像保持体の外面との間隙が１ｍｍないし３ｍｍである、
ことを特徴とする。
【０００８】
請求項４記載の発明は、請求項１ないし３のいずれか１項に記載の画像形成装置において、
前記像保持体の外面の移動速度が３５０ｍｍ／ｓｅｃ以上である、
ことを特徴とする。
【発明の効果】
【０００９】
本発明によれば、記録媒体の搬送領域の外側で像保持体の外面に向かって伸びる壁部を有しない構成に比して、像保持体上の非転写トナー像に起因する転写手段の周辺部材の汚れを抑制することができることができる。
【図面の簡単な説明】
【００１０】
【図１】画像形成装置の概略構成の一例を示す断面模式図である。
【図２】二次転写ユニットの全体構成を示す斜視図である。
【図３】画像形成装置における用紙搬送部を含む転写装置の構成を示す断面模式図である。
【図４】用紙搬送領域を含む二次転写ユニットの平面模式図である。
【図５】画像形成装置の二次転写部周辺の構成及びトナーバンドの通過を説明する図である。
【図６】（ａ）は画像形成装置の二次転写部周辺の空気流の流れを示す断面模式図、（ｂ）は二次転写部周辺の空気流の流れとクラウドトナーの拡散を示す平面模式図である。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１２】
（１）画像形成装置の全体構成及び動作
（１．１）画像形成装置の全体構成
図１は本実施形態に係る画像形成装置１の概略構成の一例を示す断面模式図である。
画像形成装置１は、画像形成部１０と、画像形成部１０の一端に装着された用紙送り装置２０と、画像形成部１０の他の一端に設けられ、印刷された用紙が排紙される排紙部３０と、操作情報部４０と、上位機器から送信された印刷情報から画像情報を生成する画像処理部５０と、を備えて構成されている。
【００１３】
画像形成部１０は、システム制御装置１１、露光装置１２、感光体ユニット１３、現像装置１４、転写装置１５、用紙搬送装置１６ａ、１６ｂ、１６ｃ、定着装置１７を備えて構成され、画像処理部５０から受け取った画像データを、用紙送り装置２０から送り込まれた用紙Ｐ上にトナー画像として形成する。
【００１４】
用紙送り装置２０は、画像形成部１０に対する用紙供給を行う。すなわち、種類（例えば、材質や厚さ、用紙サイズ、紙目）の異なる用紙Ｐを収容する複数の用紙積載部を備えており、これら複数の用紙積載部のいずれか一つから繰り出した用紙Ｐを画像形成部１０に対して供給するように構成されている。
【００１５】
排紙部３０は、画像形成部１０にて画像出力が行われた用紙Ｐの排出を行う。そのために、排紙部３０は、画像出力後の用紙Ｐが排出される排紙収容部を備えている。なお、排紙部３０は、画像形成部１０から出力される用紙束に対して、裁断やステープル（針綴じ）等の後処理を行う機能を有したものであってもよい。
【００１６】
操作情報部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００１７】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された用紙Ｐが画像形成部１０へ送り込まれる。
【００１８】
感光体ユニット１３は、露光装置１２の下方に、それぞれが並列して設けられ、回転駆動する感光体ドラム１３１を備えている。感光体ドラム１３１の回転方向にそって、帯電器１３２、露光装置１２、現像装置１４、一次転写ローラ１５２、クリーニングブレード１３４が配置されている。
【００１９】
現像装置１４は、内部に現像剤が収容される現像ハウジング１４１を有する。現像ハウジング１４１内には、感光体ドラム１３１に対向して配置された現像ローラ１４２が配設され、現像ローラ１４２には、現像剤の層厚を規制する層規制部材（不図示）が近接配置されている。
現像装置１４各々は、現像ハウジング１４１に収容される現像剤を除いて略同様に構成され、それぞれがイエロー（Ｙ）、マゼンタ（Ｍ）、シアン（Ｃ）、黒（Ｋ）のトナー像を形成する。また、各現像装置１４は、感光体ドラム１３１上の隣接するトナー像間に位置する非画像領域に、帯状トナー像としてのトナーバンドＴＢを形成する。
【００２０】
回転する感光体ドラム１３１の表面は、帯電器１３２により帯電され、露光装置１２から出射する潜像形成光により静電潜像が形成される。感光体ドラム１３１上に形成された静電潜像は現像ローラ１４２によりトナー像として現像される。
【００２１】
転写装置１５は、各感光体ユニット１３の感光体ドラム１３１にて形成された各色トナー像が多重転写される像保持体としての中間転写ベルト１５１、各感光体ユニット１３にて形成された各色トナー像を中間転写ベルト１５１に順次転写（一次転写）する一次転写ローラ１５２、中間転写ベルト１５１上に重畳して転写された各色トナー像を記録媒体である用紙に一括転写（二次転写）する二次転写ローラ１５３、二次転写ローラ１５３の表面に付着する残留トナーや紙粉等を除去するクリーニング装置１５５、中間転写ベルト１５１上に付着している残留トナーや紙粉等を除去する中間転写ベルトクリーナ１５８を備えて構成されている。
【００２２】
各感光体ユニット１３の感光体ドラム１３１に形成された各色トナー像は、中間転写ベルト１５１と各感光体ドラム１３１が接触する一次転写部で、システム制御装置１１により制御される電源装置１１０から所定の一次転写電圧が印加された一次転写ローラ１５２により中間転写ベルト１５１上に順次静電転写（一次転写）され、各色トナーが重畳された重畳トナー像が形成される。
【００２３】
中間転写ベルト１５１上の重畳トナー像は、中間転写ベルト１５１の移動に伴って、バックアップローラ１６５に中間転写ベルト１５１を介して二次転写ローラ１５３が圧接配置された二次転写部ＴＲに搬送される。重畳トナー像が二次転写部ＴＲに搬送されると、そのタイミングに合わせて用紙送り装置２０から用紙Ｐが二次転写部ＴＲに供給される。そして、中間転写ベルト１５１を介して二次転写ローラ１５３と対向するバックアップローラ１６５には、システム制御装置１１により制御される電源装置１１０から予め定められた二次転写電圧が印加され、用紙Ｐに中間転写ベルト１５１上の多重トナー像が一括転写される。
【００２４】
感光体ドラム１３１表面の残留トナーは、クリーニングブレード１３４により除去され、廃トナー収容部（不図示）に回収され、感光体ドラム１３１の表面は、帯電器１３２により再帯電される。
また、トナー像が二次転写された後の中間転写ベルト１５１上の残留トナーや紙粉等は中間転写ベルトクリーナ１５８で除去・回収され、二次転写ローラ１５３の表面は、クリーニング装置１５５の塗布ブラシ１５５ａ及びクリーニングブレード１５５ｂによって残留トナーや紙粉等が除去される。
【００２５】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部Ｎ（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００２６】
定着の終了した用紙Ｐは、用紙搬送装置１６ｂを経由して排紙部３０に送り込まれる。
尚、用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙収容部へ排出される。
【００２７】
（２）転写装置の構成と作用
（２．１）転写装置の構成
図２は二次転写ユニット１５４の全体構成を示す斜視図、図３は画像形成装置１における用紙搬送部を含む転写装置１５の構成を示す断面模式図、図４は用紙搬送領域を含む二次転写ユニット１５４の平面模式図である。
転写装置１５は中間転写ベルト１５１、一次転写ローラ１５２、二次転写ローラ１５３を含む二次転写ユニット１５４を備えて構成されている。
【００２８】
中間転写ベルト１５１は、ポリイミドあるいはポリアミド等の樹脂にカーボンブラック等の導電剤を適当量含有させたものが用いられ、その体積抵抗率が１０６〜１０１４Ω・ｃｍとなるように形成されており、その厚みは例えば、０．１ｍｍ程度のフィルム状の無端ベルトで構成されている。
中間転写ベルト１５１は、中間転写ベルト１５１を循環駆動させる駆動ローラ１６１、各感光体ドラム１３１の配列方向に沿って略直線状に伸びる中間転写ベルト１５１を支持する従動ローラ１６２、中間転写ベルト１５１に対して一定の張力を与えると共に中間転写ベルト１５１の蛇行を防止するテンションローラ１６３、二次転写部ＴＲの上流側に設けられ、中間転写ベルト１５１を支持する支持ローラ１６４、二次転写部ＴＲに設けられるバックアップローラ１６５、中間転写ベルト１５１上の残留トナーを掻き取るクリーニング部に設けられるクリーニングバックアップローラ１６６を有している。
【００２９】
バックアップローラ１６５は、表面にカーボンを分散したＥＰＤＭとＮＢＲのブレンドゴムのチューブで、内部はＥＰＤＭゴムからなり、その表面抵抗率が１０７〜１０１０Ω／□でローラ径が２８ｍｍとなるように形成され、硬度は例えば７０度（アスカーＣ）に設定されている。
バックアップローラ１６５は、中間転写ベルト１５１の裏面側に配置されて二次転写ローラ１５３の対向電極をなしている。そして、バックアップローラ１６５には、二次転写部ＴＲにて二次転写電界を形成するためのバイアス電圧を印加する金属製の給電ローラ１６５Ａが接触配置されている。
【００３０】
一次転写ローラ１５２は、一次転写部において、中間転写ベルト１５１を挟んで、各感光体ドラム１３１に対向して設けられ、トナーの帯電極性と逆極性の電圧が印加されるようになっている。これにより、各々の感光体ドラム１３１上のトナー像が中間転写ベルト１５１に順次、静電吸引され、中間転写ベルト１５１上に重畳されたトナー像が形成されるようになっている。
【００３１】
転写手段としての二次転写ローラ１５３は、フッ素コートが施されたウレタンゴムのチューブからなる表面層を有する体積抵抗率が１０６〜１０１０Ω・ｃｍの半導電性ゴムからなり、ローラ径が２８ｍｍとなるように形成され、硬度は例えば３０度（アスカーＣ）に設定されている。
二次転写ローラ１５３は、中間転写ベルト１５１を介してバックアップローラ１６５に対向して配置され、用紙送り装置２０から搬送される用紙Ｐに対して、バックアップローラ１６５とともに中間転写ベルト１５１が保持するトナー像を二次転写する二次転写部ＴＲを形成する。
【００３２】
二次転写ローラ１５３に対向して、二次転写ローラ１５３の表面に付着する残留トナーや紙粉等を除去するクリーニング装置１５５が配置されている。
クリーニング装置１５５は、二次転写ローラ１５３の表面に潤滑剤１５５ｄを塗布する塗布ブラシ１５５ａと、塗布ブラシ１５５ａで予め掻き乱された残留トナーや紙粉等を除去するクリーニングブレード１５５ｂから構成されている。
塗布ブラシ１５５ａには、フリッキングバー１５５ｃが当接配置されて塗布ブラシ１５５ａ表面に付着した残留トナーや紙粉等を除去すると同時に塗布ブラシ１５５ａに付着した潤滑剤１５５ｄを均一にならしている。
【００３３】
二次転写部ＴＲの用紙搬送方向下流側には、電極部材１５６ａ、案内ガイド１５６ｂから構成される剥離徐電装置１５６が配置され、案内ガイド１５６ｂの両外側には、中間転写ベルト１５１の外面１５１ａに向かって突出する板状部材としての壁部１５７が立設されている。
図３に示すように、二次転写ローラ１５３の両端部には、クリーニングブレード１５５ｂで除去されてクリーニング装置１５５内に回収された廃トナーの漏出を防止するシール部材１５３ａが設けられ、壁部１５７は用紙の搬送方向と交差する方向の用紙搬送領域の外側で、かつシール部材１５３ａの内側に位置するように設けられている。
【００３４】
壁部１５７は、断面視で二次転写ローラ１５３と案内ガイド１５６ｂの表面と中間転写ベルト１５１の外面１５１ａで形成される空間を塞ぐように案内ガイド１５６ｂに一体として形成されている。
壁部１５７の中間転写ベルト１５１の外面１５１ａと対向する一端は中間転写ベルト１５１の移動方向に沿って延びる対向面１５７ａを有している。
対向面１５７ａは中間転写ベルト１５１の外面１５１ａと１ｍｍないし３ｍｍの間隙Ｇ（図３参照）を保って略平行になるように形成され、中間転写ベルト１５１の移動によって発生する空気流の流路をなしている（図６（ａ）参照）。
【００３５】
本実施形態においては、二次転写ローラ１５３、クリーニング装置１５５、剥離徐電装置１５６は二次転写ユニット１５４として画像形成装置１本体に対して交換可能に配置されている。
【００３６】
トナー像が二次転写された用紙Ｐは、電極部材１５６ａで用紙Ｐの背面から徐電されながら、中間転写ベルト１５１から分離・剥離され、案内ガイド１５６ｂにガイドされながら、用紙搬送装置１６ａを経由して定着装置１７に搬送される。
【００３７】
（２．２）トナーバンド形成と転写装置のバイアス印加制御
図５は画像形成装置１の二次転写部ＴＲ周辺の構成及びトナーバンドＴＢの通過を説明する図、図６（ａ）は画像形成装置１の二次転写部ＴＲ周辺の空気流の流れを示す断面模式図、（ｂ）は二次転写部ＴＲ周辺の空気流Ｆの流れとクラウドトナーＴＮの拡散を示す平面模式図である。
図５に示すように、バックアップローラ１６５に転写バイアスを印加する給電ローラ１６５Ａには転写バイアス電圧を印加する電源装置１１０が接続されている。
【００３８】
電源装置１１０は、二次転写ローラ１５３とバックアップローラ１６５との間にトナー像を用紙Ｐに転写させるための転写電流を供給する転写バイアス電源１１１と、中間転写ベルト１５１上に形成された後述するトナーバンドＴＢ等の不要トナーの二次転写ローラ１５３への移行を防止するためのクリーニングバイアス電圧を供給するクリーニングバイアス電源１１２と、切替器１１３とを備えている。
【００３９】
このように構成される画像形成装置１において、画像形成部１０では、用紙Ｐへの転写を目的としないトナー像も形成される。具体的には、感光体ドラム１３１のクリーニングブレード１３４の保護や現像装置１４内の劣化トナーの排出の為に帯状トナー像であるトナーバンドＴＢが形成される。
【００４０】
例えば、低密度画像が連続的に続いた場合には現像装置１４内のトナー消費が少ない為に現像装置１４の内部に滞留する時間が長くなり、トナーが過剰に摩擦帯電されて劣化してしまい、形成される画像の粒状性が悪化する虞があった。
また、中間転写ベルト１５１上における各色のトナー像の重ね合わせ位置を調整するための画質調整パターンが形成される場合、かかる画質調整パターンは、画像密度が低く、頻繁に画質調整動作が行われると、現像装置１４内のトナー消費が少なく、現像装置１４のトナーが過剰に摩擦帯電されて劣化する虞があった。
【００４１】
そのために、画像形成装置１においては、感光体ドラム１３１上の隣接するトナー像間に位置する非画像領域に、感光体ドラム１３１の回転移動方向と交差する方向（幅方向）に伸びた帯状トナー像であるトナーバンドＴＢを形成して、現像装置１４内の滞留するトナーを強制的に消費する調整動作が行われる。
【００４２】
感光体ドラム１３１上に形成されたトナーバンドＴＢは、一次転写部で中間転写ベルト１５１上に一次転写された後、二次転写部ＴＲではバックアップローラ１６５へクリーニングバイアス電圧が印加されて、用紙Ｐ及び二次転写ローラ１５３に転写されることはなく、最終的には中間転写ベルトクリーナ１５８によって掻き落とされ回収される。
一方、図５に模式的に示すように、トナーバンドＴＢ中のトナーには、トナー本来の帯電極性とは異なる逆極性に帯電したトナーや帯電が弱いトナーも含まれ、これらのトナーは二次転写ローラ１５３に付着してクリーニング装置１５５内に回収されることになる。
【００４３】
高画質の要求から、トナーバンドＴＢの形成頻度が高くなると、クリーニング装置１５５内に回収されるトナー量も多くなり、特に二次転写ローラ１５３両端部のシール部材１５３ａからトナークラウド（空気中を浮遊するトナー）として浮遊して中間転写ベルト１５１の移動に伴う空気流によって電極部材１５６ａや案内ガイド１５６ｂの両側領域に蓄積されていく。
【００４４】
特に、用紙搬送領域において用紙Ｐが通常通過している中央部においては、浮遊した廃トナーは用紙Ｐの裏面側に付着して用紙Ｐとともに搬送され、電極部材１５６ａや案内ガイド１５６ｂに蓄積されにくいが、用紙搬送領域の両側においては、電極部材１５６ａや案内ガイド１５６ｂに蓄積されて、後続する用紙ＰがＳＲＡ３等の幅広用紙であった場合に、用紙Ｐの両側において裏面汚れが発生する虞があった。
【００４５】
本実施形態に係る画像形成装置１においては、案内ガイド１５６ｂの両外側には、用紙の搬送方向と交差する方向の用紙搬送領域の外側で、かつシール部材１５３ａの内側に中間転写ベルト１５１の外面１５１ａに向かって突出する壁部１５７が立設されている。
【００４６】
壁部１５７は、断面視で二次転写ローラ１５３と案内ガイド１５６ｂの表面と中間転写ベルト１５１の外面１５１ａで形成される空間を塞ぐように案内ガイド１５６ｂに一体として形成されている。
そのために、図６（ｂ）に模式的に示すように、二次転写ローラ１５３のシール部材１５３ａから漏出したクラウドトナーＴＮは、壁部１５７の外側面１５７ｂで遮られ、案内ガイド１５６ｂの上面側への拡散が抑制される。
【００４７】
図３及び図６（ａ）に示すように、壁部１５７の中間転写ベルト１５１の外面１５１ａと対向する一端は中間転写ベルト１５１の移動方向に沿って延びる対向面１５７ａを有し、対向面１５７ａは中間転写ベルト１５１の外面１５１ａと１ｍｍないし３ｍｍの間隙Ｇを保って略平行になるように形成されている。
【００４８】
本実施形態に係る画像形成装置１においては、プロセススピードＶｐは３５０ｍｍ／ｓｅｃないし４５０ｍｍ／ｓｅｃに設定されており、中間転写ベルト１５１の外面１５１ａは３５０ｍｍ／ｓｅｃないし４５０ｍｍ／ｓｅｃの移動速度で移動する。
案内ガイド１５６ｂに立設された壁部１５７の対向面１５７ａと中間転写ベルト１５１の外面１５１ａとで形成される間隙Ｇはいわゆる狭窄流路となって、移動する中間転写ベルト１５１の外面１５１ａによって、中間転写ベルト１５１の移動方向下流側に向う空気流Ｆが発生する（図６（ａ）矢印Ｆ参照）。
【００４９】
そのために、図６（ｂ）に模式的に示すように、二次転写ローラ１５３のシール部材１５３ａから漏出したクラウドトナーＴＮは、空気流Ｆによって中間転写ベルト１５１の移動方向下流側へ流され、案内ガイド１５６ｂ側への拡散が抑制される。また、狭窄流路が形成された間隙Ｇにおいては用紙搬送領域に比して空気圧が低下するために、相対的に高圧となる用紙搬送領域への空気流の流れは発生せずクラウドトナーＴＮの拡散が抑制されている。
その結果、二次転写ローラ１５３両端部のシール部材１５３ａから漏出したクラウドトナーＴＮの電極部材１５６ａや案内ガイド１５６ｂの両側領域への蓄積を抑制して用紙の裏面汚れを防止することができる。
【符号の説明】
【００５０】
１・・・画像形成装置
１０・・・画像形成部
１１・・・システム制御装置
１１０・・・電源装置
１１１・・・転写バイアス電源
１１２・・・クリーニングバイアス電源
１１３・・・切替器
１２０・・・トナーバンド生成部
１２・・・露光装置
１３・・・感光体ユニット
１４・・・現像装置
１５・・・転写装置
１５１・・・中間転写ベルト
１５２・・・一次転写ローラ
１５３・・・二次転写ローラ
１５５・・・クリーニング装置
１５５ａ・・・クリーニングブラシ
１５５ｂ・・・クリーニングブレード
１５６・・・剥離徐電装置
１５６ａ・・・電極部材
１５６ｂ・・・案内ガイド
１５７・・・壁部
１５７ａ・・・対向面
１６１・・・駆動ローラ
１６２・・・支持ローラ
１６３・・・テンションローラ
１６４・・・支持ローラ
１６５・・・バックアップローラ
１６６・・・クリーニングバックアップローラ
１６ａ、１６ｂ、１６ｃ・・・用紙搬送装置
１７・・・定着装置
２０・・・用紙送り装置
２８・・・用紙案内ガイド
３０・・・排紙部
４０・・・操作情報部
５０・・・画像処理部
【図１】
2017191195.tif 000003
【図２】
2017191195.tif 000004
【図３】
2017191195.tif 000005
【図４】
2017191195.tif 000006
【図５】
2017191195.tif 000007
【図６】
2017191195.tif 000008